【手続補正書】
【提出日】平成29年1月24日(2017.1.24)
【手続補正１】
【補正対象書類名】明細書
【補正対象項目名】０１２４
【補正方法】変更
【補正の内容】
【０１２４】
上記の種類のセキュリティー証書を取り込むための多くの代替技術が知られており、そして使用できるであろう。例えば、上記のデバイス構造は、ＩＤカード、運転免許証、銀行カードおよび他のラミネート構造を含む他のタイプのセキュリティー証書の上に直接形成でき、この場合、セキュリティーデバイスは、証書の多層構造中に直接取り込まれることができるであろう。
（態様）
（態様１）
透明層の表面上に形成された第１の光学的可変効果を生成するレリーフ構造を有する透明層と、
該第１のレリーフ構造にわたって伸びかつ反射増強体の第１の側上の該第１のレリーフの輪郭に沿った反射増強体と、
該反射増強体の第２の側中に形成された第２の光学的可変効果を生成するレリーフ構造と、
を含むセキュリティーデバイスであって、
該反射増強体が、該反射増強体の第１の側および／または第２の側を画定する少なくとも第１の反射増強層を含み、
バインダー中に分散した反射粒子を有するバインダーを該第１の反射増強層が含み、
ここで該デバイスが該透明層を通して見られる場合、該第１のレリーフ構造の該光学的可変効果が見え、そして、
該デバイスが反対側から見られる場合、該第２のレリーフ構造の該光学的可変効果が見える、セキュリティーデバイス。
（態様２)
該第１のレリーフ構造および第２のレリーフ構造が相互に干渉しないように該反射増強体の厚さが充分である、態様１に記載のセキュリティーデバイス。
（態様３)
該反射増強体が、該第１のレリーフ構造および第２のレリーフ構造のそれぞれの最大プロファイル深さより大きい、好ましくは該第１のレリーフ構造および第２のレリーフ構造の最大プロファイル深さの合計以上、の厚さを有する、態様１または態様２に記載のセキュリティーデバイス。
（態様４)
該反射増強体の横方向の大きさが、該セキュリティーデバイスの全領域より小さい、態様１〜３のいずれか一項に記載のセキュリティーデバイス。
（態様５)
該第１の反射増強層が、該反射増強体の該第１の側と第２の側との１つを画定し、そして該反射増強体が、該第１の側と第２の側とのもう一方を画定する第２の反射増強層をさらに含む、態様１〜４のいずれか一項に記載のセキュリティーデバイス。
（態様６)
該第２の反射増強層が、該反射増強体の該第１の側を画定し、そして該第１の反射増強層が、該反射増強体の該第２の側を画定する、態様５に記載のセキュリティーデバイス。
（態様７)
該第１の反射増強層の横方向の大きさが、該第２の反射増強層の横方向の大きさに相当する、態様５または６に記載のセキュリティーデバイス。
（態様８)
該第２の反射増強層が、
１種または２種以上の金属またはそれらの合金、好ましくは銅および／またはアルミニウム、
光学干渉薄膜構造、
金属性粒子、光学的に変化できる粒子、または光学的に変化できる磁性粒子を含む層、
フォトニック結晶層、または、
液晶層、
のいずれかを含む、態様５〜７のいずれか一項に記載のセキュリティーデバイス。
（態様９)
該反射増強体の横方向の大きさが、堅牢なまたは装飾的な、形またはパターン、好ましくは細線パターン、または情報の項目、好ましくは数、文字、英数字テキスト、記号または図を規定する、態様１〜８のいずれか一項に記載のセキュリティーデバイス。
（態様１０)
該反射増強体が、見かけ上不連続な少なくとも２つの横方向のオフセット領域を含む、態様１〜９のいずれか一項に記載のセキュリティーデバイス。
（態様１１)
該反射増強体が、不連続な要素からなる遮蔽機能を含む、態様１〜１０のいずれか一項に記載のセキュリティーデバイス。
（態様１２)
該第１の反射増強層が、該デバイスから該第２の反射増強層の材料を除去するのに好適なエッチング液に耐性を示すレジスト材料を含む、少なくとも態様５に記載のセキュリティーデバイス。
（態様１３)
ポリマーバインダー中に分散した反射粒子、好ましくは反射インク、最も好ましくは熱可塑性反射インクを有するポリマーバインダーを該第１の反射増強層が含み、該反射粒子が、好ましくは金属性粒子、光学的に変化できる粒子、または光学的に変化できる磁性粒子を含む、態様１〜１２のいずれか一項に記載のセキュリティーデバイス。
（態様１４)
該第１の反射増強層が、該透明層の形成温度より低い形成温度を有する材料を含む、態様１〜１３のいずれか一項に記載のセキュリティーデバイス。
（態様１５)
該第１の反射増強層が、光活性硬化剤、好ましくはＵＶ硬化剤を含む、態様１〜１４のいずれか一項に記載のセキュリティーデバイス。
（態様１６)
該第１の反射増強層が、光学的に有効な物質、可視または非可視波長の照明下で可視の物質、好ましくは該第１の反射増強層に着色した色合いを与えるのに有効な物質を含む、態様１〜１５のいずれか一項に記載のセキュリティーデバイス。
（態様１７)
バインダー中に分散した反射粒子を有するバインダーをそれぞれ含む２種または３種以上の材料を該第１の反射増強層が含み、該２種または３種以上の材料が、相互に光学的に区別できかつパターンを画定するように並べられている、態様１〜１６のいずれか一項に記載のセキュリティーデバイス。
（態様１８)
該第１のレリーフ構造の該光学的可変効果が該第２のレリーフ構造の該光学的可変効果と異なる色を示すように、該第１の反射増強層の可視色が、少なくとも選択された波長の照明下において該第２の反射増強層の可視色と異なる、少なくとも態様５に記載のセキュリティーデバイス。
（態様１９)
該第１の光学的可変効果と第２の光学的可変効果とが異なるように、該第１の光学的可変効果を生成するレリーフ構造が、該第２の光学的可変効果を生成するレリーフ構造と異なる、態様１〜１８のいずれか一項に記載のセキュリティーデバイス。
（態様２０)
該第１の光学的可変効果を生成するレリーフ構造が第１の視点からのオブジェクトの画像を示すように構成され、そして該第２の光学的可変効果を生成するレリーフ構造が第２の視点、好ましくは該第１の視点から１８０度からの同じオブジェクトの画像を示すように構成されている、態様１９に記載のセキュリティーデバイス。
（態様２１)
該第１の光学的可変効果および第２の光学的可変効果を生成するレリーフ構造が、相互に一致している、態様１〜２０のいずれか一項に記載のセキュリティーデバイス。
（態様２２)
該第１の光学的可変効果を生成するレリーフ構造および第２の光学的可変効果を生成するレリーフ構造が、それぞれ、ホログラム、回折格子、またはＫｉｎｅｇｒａｍ（商標）などの回折構造、またはプリズム構造などの非回折マイクロ光学構造のいずれかを含む、態様１〜２１のいずれか一項に記載のセキュリティーデバイス。
（態様２３)
該第１の透明層が、熱可塑性ポリマー、好ましくは硬化剤を有する熱可塑性ポリマー、または硬化性ポリマー、好ましくはＵＶ硬化性ポリマーを含む、態様１〜２２のいずれか一項に記載のセキュリティーデバイス。
（態様２４)
該第１の透明層が、基材、好ましくはセキュリティー証書基材またはセキュリティー物品基材の一体部分を形成する、態様１〜２３のいずれか一項に記載のセキュリティーデバイス。
（態様２５)
該第１の透明層が、基材、好ましくはセキュリティー証書基材またはセキュリティー物品基材上に配置されている、態様１〜２３のいずれか一項に記載のセキュリティーデバイス。
（態様２６)
１つまたは２つ以上の透明接着剤層をさらに含む、態様１〜２５のいずれか一項に記載のセキュリティーデバイス。
（態様２７)
態様１〜２６のいずれか一項に記載のセキュリティーデバイスを含むセキュリティー物品であって、好ましくは転写バンドまたは転写シート、セキュリティースレッド、箔、パッチ、ラベルまたはストリップを含む、セキュリティー物品。
（態様２８)
態様１〜２６のいずれか一項に記載のセキュリティーデバイスまたは態様２７に記載のセキュリティー物品を含むセキュリティー証書であって、好ましくは紙幣、小切手、ＩＤ証書、証明書、株券、ビザ、パスポート、運転免許証、銀行カード、またはＩＤカードを含む、セキュリティー証書。
（態様２９)
透明層を通してデバイスを見た場合に、第１のレリーフ構造の光学的可変効果が見え、そして反対側から該デバイスを見た場合に、第２のレリーフ構造の光学的可変効果が見えるように、
透明層の表面中に第１の光学的可変効果を生成するレリーフ構造を形成することと、
該反射増強体の第１の側が該第１のレリーフの輪郭に従うように、該第１のレリーフ構造の上に反射増強体を適用することと、
該反射増強体の該第２の側中に第２の光学的可変効果を生成するレリーフ構造を形成することと、
を含み、
該反射増強体が、該反射増強体の第１の側および／または第２の側を画定する少なくとも第１の反射増強層を含み、
バインダー中に分散した反射粒子を有するバインダーを該第１の反射増強層が含む、
セキュリティーデバイスの製造方法。
（態様３０)
該第１のレリーフ構造と第２のレリーフ構造とが相互に干渉しないように該反射増強体の厚さが充分である、態様２９に記載の方法。
（態様３１)
該反射増強体が該第１のレリーフ構造および第２のレリーフ構造のそれぞれの最大プロファイル深さより大きい厚さを有し、好ましくは該第１のレリーフ構造および第２のレリーフ構造の最大プロファイル深さの合計以上である、態様２９または態様３０に記載の方法。
（態様３２)
該反射増強体が該セキュリティーデバイスの全領域未満にわたって適用されている、態様２９〜３１のいずれか一項に記載の方法。
（態様３３)
該第１の反射増強層が該反射増強体の第１の側と第２の側との１つを画定し、そして該第２の反射増強層が、該第１の側と第２の側とのもう一方を画定するように、該反射増強体を適用することが、該第１の反射増強層を適用する前または後に、該第１のレリーフ構造にわたって第２の反射増強層を適用することを含む、態様２９〜３２のいずれか一項に記載の方法。
（態様３４)
該第１の反射増強層が、該反射増強体の該第２の側を画定し、そして該第２の反射増強層が、該第１の側を画定するように、該反射増強体を適用することが、該第１の反射増強層を適用する前に、該第１のレリーフ構造にわたって該第２の反射増強層を適用することを含む、態様３３に記載の方法。
（態様３５)
該第２の反射増強層が、
１種または２種以上の金属またはそれらの合金、好ましくは銅および／またはアルミニウム、
光学干渉薄膜構造、
金属性粒子、光学的に変化できる粒子、または光学的に変化できる磁性粒子を含む層、
フォトニック結晶層、または
液晶層
のいずれかを含む、態様３３または３４に記載の方法。
（態様３６)
該第２の反射増強層が、真空蒸着または化学気相堆積によって適用される、態様３３〜３５のいずれか一項に記載の方法。
（態様３７)
該第１の反射増強層が、印刷、好ましくはグラビア印刷、フレキソ印刷またはスロットダイ印刷によって適用される、態様２９〜３６のいずれか一項に記載の方法。
（態様３８)
その横方向の大きさが、堅牢なまたは装飾的な、形またはパターン、好ましくは細線パターン、または情報の項目、好ましくは数、文字、英数字テキスト、記号または図を規定するように、該第１の反射増強層が適用される、態様２９〜３７のいずれか一項に記載の方法。
（態様３９)
該第１の反射増強層が、見かけ上不連続な少なくとも２つの横方向のオフセット領域を含むように適用される、態様２９〜３８のいずれか一項に記載の方法。
（態様４０)
該第１の反射増強層が、不連続な要素からなる遮蔽機能として適用される、態様２９〜３９のいずれか一項に記載の方法。
（態様４１)
該第１の反射増強層および第２の反射増強層の横方向の大きさが相当するように、該第１の反射増強層を適用後に、該第２の反射増強層が該第１の反射増強層によって被覆されていない該デバイスの領域から該第２の反射増強層の材料を除去することをさらに含む、少なくとも態様３３に記載の方法。
（態様４２)
該第２の反射増強層の材料がエッチングによって除去され、該第１の反射増強層がエッチングレジストとして作用する、態様４１に記載の方法。
（態様４３)
ポリマーバインダー中に分散した反射粒子、好ましくは反射インク、最も好ましくは熱可塑性反射インクを有するポリマーバインダーを該第１の反射増強層が含み、該反射粒子が、好ましくは金属性粒子、光学的に変化できる粒子、または光学的に変化できる磁性粒子を含む、態様２９〜４２のいずれか一項に記載の方法。
（態様４４)
該第１の反射増強層が、該透明層の形成温度より低い形成温度を有する材料を含む、態様２９〜４３のいずれか一項に記載の方法。
（態様４５)
該第１の反射増強層が、光活性硬化剤、好ましくはＵＶ硬化剤を含み、該方法が、該第２の光学的に変化できるレリーフ構造を形成する前に、該第１の反射増強層を部分的に硬化させること、そして／または該第２の光学的に変化できるレリーフ構造を形成した後で該第１の反射増強層を充分に硬化させることをさらに含む、態様２９〜４４のいずれか一項に記載の方法。
（態様４６)
該第１の反射増強層が、光学的に有効な物質、可視または非可視波長の照明下で見える物質、好ましくは該第１の反射増強層に着色した色合いを与えるのに有効な物質を含む、態様２９〜４５のいずれか一項に記載の方法。
（態様４７)
該第１の反射増強層を適用することが、２種または３種以上の材料を適用することを含み、バインダー中に分散した反射粒子を有するバインダーをそれぞれの材料が含み、該２種または３種以上の材料が、相互に光学的に区別できかつパターンを画定するように並べられている、態様２９〜４６のいずれか一項に記載の方法。
（態様４８)
該第１のレリーフ構造の該光学的可変効果が該第２のレリーフ構造の該光学的可変効果と異なる色を示すように、該第１の反射増強層の可視色が、少なくとも選択された波長の照明下において該第２の反射増強層の可視色と異なる、少なくとも態様３３に記載の方法。
（態様４９)
該第１の光学的可変効果と第２の光学的可変効果とが異なるように、該第１の光学的可変効果を生成するレリーフ構造が該第２の光学的可変効果を生成するレリーフ構造と異なる、態様２９〜４８のいずれか一項に記載の方法。
（態様５０)
該第１の光学的可変効果を生成するレリーフ構造および第２の光学的可変効果を生成するレリーフ構造が、それぞれ、ホログラム、回折格子またはＫｉｎｅｇｒａｍ（商標）などの回折構造、またはプリズム構造などの非回折マイクロ光学構造のいずれかを含む、態様２９〜４９のいずれか一項に記載の方法。
（態様５１)
該第１の光学的可変効果を生成するレリーフ構造および第２の光学的可変効果を生成するレリーフ構造が相互に一致して形成される、態様２９〜５０のいずれか一項に記載の方法。
（態様５２)
該第１の光学的可変効果を生成するレリーフ構造および第２の光学的可変効果を生成するレリーフ構造が、それぞれ、エンボス加工またはキャスティング硬化により形成される、態様２９〜５１のいずれか一項に記載の方法。
（態様５３)
該第１の透明層が、熱可塑性ポリマー、好ましくは硬化剤を有する熱可塑性ポリマー、または硬化性ポリマー、好ましくはＵＶ硬化性ポリマーを含む、態様２９〜５２のいずれか一項に記載の方法。
（態様５４)
該第２の光学的可変効果を生成するレリーフ構造が形成される前に、該第１の透明層を硬化させることをさらに含む、態様５３に記載の方法。
（態様５５)
該透明層が、基材、好ましくはセキュリティー証書基材またはセキュリティー物品基材の一体部分を形成する、態様２９〜５４のいずれか一項に記載の方法。
（態様５６)
該第１の透明層が、基材、好ましくはセキュリティー証書基材またはセキュリティー物品基材上に配置されている、態様２９〜５５のいずれか一項に記載の方法。
（態様５７)
１つまたは２つ以上の透明接着剤層を適用することをさらに含む、態様のいずれか一項２８〜５６に記載の方法。
（態様５８)
態様２９〜５７のいずれか一項により製造された、セキュリティーデバイス。
【手続補正２】
【補正対象書類名】特許請求の範囲
【補正対象項目名】全文
【補正方法】変更
【補正の内容】
【特許請求の範囲】
【請求項１】
透明層の表面上に形成された第１の光学的可変効果を生成するレリーフ構造を有する透明層と、
該第１のレリーフ構造にわたって伸びかつ反射増強体の第１の側上の該第１のレリーフの輪郭に沿った反射増強体と、
該反射増強体の第２の側中に形成された第２の光学的可変効果を生成するレリーフ構造と、
を含むセキュリティーデバイスであって、
該反射増強体が、該反射増強体の第１の側および／または第２の側を画定する少なくとも第１の反射増強層を含み、
バインダー中に分散した反射粒子を有するバインダーを該第１の反射増強層が含み、
ここで該デバイスが該透明層を通して見られる場合、該第１のレリーフ構造の該光学的可変効果が見え、そして、
該デバイスが反対側から見られる場合、該第２のレリーフ構造の該光学的可変効果が見える、セキュリティーデバイス。
【請求項２】
該第１のレリーフ構造および第２のレリーフ構造が相互に干渉しないように該反射増強体の厚さが充分である、請求項１に記載のセキュリティーデバイス。
【請求項３】
該反射増強体が、該第１のレリーフ構造および第２のレリーフ構造のそれぞれの最大プロファイル深さより大きい、好ましくは該第１のレリーフ構造および第２のレリーフ構造の最大プロファイル深さの合計以上、の厚さを有する、請求項１または請求項２に記載のセキュリティーデバイス。
【請求項４】
該反射増強体の横方向の大きさが、該セキュリティーデバイスの全領域より小さい、請求項１〜３のいずれか一項に記載のセキュリティーデバイス。
【請求項５】
該第１の反射増強層が、該反射増強体の該第１の側と第２の側との１つを画定し、そして該反射増強体が、該第１の側と第２の側とのもう一方を画定する第２の反射増強層をさらに含み、そして好ましくは該第１の反射増強層の横方向の大きさが、該第２の反射増強層の横方向の大きさに相当する、請求項１〜４のいずれか一項に記載のセキュリティーデバイス。
【請求項６】
ポリマーバインダー中に分散した反射粒子、好ましくは反射インク、最も好ましくは熱可塑性反射インクを有するポリマーバインダーを該第１の反射増強層が含み、該反射粒子が、好ましくは金属性粒子、光学的に変化できる粒子、または光学的に変化できる磁性粒子を含む、請求項１〜５のいずれか一項に記載のセキュリティーデバイス。
【請求項７】
該第１の反射増強層が、該透明層の形成温度より低い形成温度を有する材料を含む、請求項１〜６のいずれか一項に記載のセキュリティーデバイス。
【請求項８】
該第１のレリーフ構造の該光学的可変効果が該第２のレリーフ構造の該光学的可変効果と異なる色を示すように、該第１の反射増強層の可視色が、少なくとも選択された波長の照明下において該第２の反射増強層の可視色と異なる、少なくとも請求項５に記載のセキュリティーデバイス。
【請求項９】
該第１の光学的可変効果と第２の光学的可変効果とが異なるように、該第１の光学的可変効果を生成するレリーフ構造が、該第２の光学的可変効果を生成するレリーフ構造と異なる、請求項１〜８のいずれか一項に記載のセキュリティーデバイス。
【請求項１０】
請求項１〜９のいずれか一項に記載のセキュリティーデバイスを含むセキュリティー物品であって、好ましくは転写バンドまたは転写シート、セキュリティースレッド、箔、パッチ、ラベルまたはストリップを含む、セキュリティー物品。
【請求項１１】
請求項１〜９のいずれか一項に記載のセキュリティーデバイスまたは請求項１０に記載のセキュリティー物品を含むセキュリティー証書であって、好ましくは紙幣、小切手、ＩＤ証書、証明書、株券、ビザ、パスポート、運転免許証、銀行カード、またはＩＤカードを含む、セキュリティー証書。
【請求項１２】
透明層を通してデバイスを見た場合に、第１のレリーフ構造の光学的可変効果が見え、そして反対側から該デバイスを見た場合に、第２のレリーフ構造の光学的可変効果が見えるように、
透明層の表面中に第１の光学的可変効果を生成するレリーフ構造を形成することと、
該反射増強体の第１の側が該第１のレリーフの輪郭に従うように、該第１のレリーフ構造の上に反射増強体を適用することと、
該反射増強体の該第２の側中に第２の光学的可変効果を生成するレリーフ構造を形成することと、
を含み、
該反射増強体が、該反射増強体の第１の側および／または第２の側を画定する少なくとも第１の反射増強層を含み、
バインダー中に分散した反射粒子を有するバインダーを該第１の反射増強層が含む、
セキュリティーデバイスの製造方法。
【請求項１３】
該第１のレリーフ構造と第２のレリーフ構造とが相互に干渉しないように該反射増強体の厚さが充分である、請求項１２に記載の方法。
【請求項１４】
該反射増強体が該第１のレリーフ構造および第２のレリーフ構造のそれぞれの最大プロファイル深さより大きい厚さを有し、好ましくは該第１のレリーフ構造および第２のレリーフ構造の最大プロファイル深さの合計以上である、請求項１２または請求項１３に記載の方法。
【請求項１５】
該第１の反射増強層が該反射増強体の第１の側と第２の側との１つを画定し、そして該第２の反射増強層が、該第１の側と第２の側とのもう一方を画定するように、該反射増強体を適用することが、該第１の反射増強層を適用する前または後に、該第１のレリーフ構造にわたって第２の反射増強層を適用することを含む、請求項１２〜１４のいずれか一項に記載の方法。
【請求項１６】
該第１の反射増強層および第２の反射増強層の横方向の大きさが相当するように、該第１の反射増強層を適用後に、該第２の反射増強層が該第１の反射増強層によって被覆されていない該デバイスの領域から該第２の反射増強層の材料を除去することをさらに含み、そして好ましくは該第２の反射増強層の材料がエッチングによって除去され、該第１の反射増強層がエッチングレジストとして作用する、少なくとも請求項１５に記載の方法。
【請求項１７】
ポリマーバインダー中に分散した反射粒子、好ましくは反射インク、最も好ましくは熱可塑性反射インクを有するポリマーバインダーを該第１の反射増強層が含み、該反射粒子が、好ましくは金属性粒子、光学的に変化できる粒子、または光学的に変化できる磁性粒子を含む、請求項１２〜１６のいずれか一項に記載の方法。
【請求項１８】
該第１の反射増強層が、該透明層の形成温度より低い形成温度を有する材料を含む、請求項１２〜１７のいずれか一項に記載の方法。
【請求項１９】
該第１の反射増強層が、光活性硬化剤、好ましくはＵＶ硬化剤を含み、該方法が、該第２の光学的に変化できるレリーフ構造を形成する前に、該第１の反射増強層を部分的に硬化させること、そして／または該第２の光学的に変化できるレリーフ構造を形成した後で該第１の反射増強層を充分に硬化させることをさらに含む、請求項１２〜１８のいずれか一項に記載の方法。
【請求項２０】
該第１の光学的可変効果と第２の光学的可変効果とが異なるように、該第１の光学的可変効果を生成するレリーフ構造が該第２の光学的可変効果を生成するレリーフ構造と異なる、請求項１２〜１９のいずれか一項に記載の方法。
【請求項２１】
該第１の光学的可変効果を生成するレリーフ構造および第２の光学的可変効果を生成するレリーフ構造が相互に一致して形成される、請求項１２〜２０のいずれか一項に記載の方法。